(57)【要約】【課題】本発明は原稿の傾きを検出するとともに、両面原稿の裏面画像の裏写りを適切に除去する画像読取装置を提供する。【解決手段】画像読取装置１は、ＡＤＦ読取ガラス３０の読取位置に、複数の原稿サイズに対応した幅を有し白色に施された白色領域部と、白色領域の幅方向外側に所定幅を有し黒色に施された黒色領域部と、が副走査方向に所定長さで形成された背景部が、副走査方向に原稿サイズの数に対応する数だけ形成された背景ローラ２５が配設され、読取対象の原稿のサイズに応じて、背景ローラ２５を回転して、原稿サイズに対応する背景部を読取位置に位置させ、原稿の傾きを読取結果に基づいて検出する。したがって、片面にのみ画像のある原稿の外縁を検出して原稿の傾きを検出する場合にも、画像のコントラストの低下を防止しつつ、読取画像の画像品質を向上させることができる。【選択図】          図１
2004282151.tif 000002
【特許請求の範囲】
【請求項１】
少なくとも、副走査方向に搬送される原稿に、所定の読取位置で読取光を照射して当該読取光の前記原稿からの反射光を光電変換素子に導入する読取手段を有し、当該読取手段で前記原稿を主走査して当該原稿の画像を読み取る画像読取装置において、前記読取位置の前記原稿を挟んで前記読取手段と反対側の位置に、前記主走査方向を幅方向として、複数の原稿サイズに対応した幅を有し白色に施された白色領域部と、当該白色領域の幅方向外側に所定幅を有し黒色に施された黒色領域部と、が前記副走査方向に所定長さで形成された傾き検出背景領域部が、前記副走査方向に前記原稿サイズの数に対応する数だけ形成された背景部材が配設されており、前記読取対象の原稿のサイズに応じて、前記背景部材と前記読取手段のうち少なくともいずれか一方を移動して、当該原稿サイズに対応する前記傾き検出背景領域部を前記読取位置に位置させ、当該原稿の傾きを前記読取手段の読取結果に基づいて検出することを特徴とする画像読取装置。
【請求項２】
前記背景部材の前記各傾き検出背景領域部は、当該傾き検出背景領域部の前記白領域部が、前記主走査方向の両側で所定幅ずつ当該原稿サイズの原稿幅よりも内側に狭く形成され、当該狭く形成された白領域部の外側に前記黒領域部が形成されていることを特徴とする請求項１記載の画像読取装置。
【請求項３】
前記画像読取装置は、前記傾き検出背景領域部の前記原稿幅よりも内側に入り込んだ前記黒領域部の画像を、前記白領域部の画像に合わせて補正することを特徴とする請求項２記載の画像読取装置。
【請求項４】
前記背景部材は、前記主走査方向に延在して回転可能に支持されている円筒形状の背景ローラであり、当該背景ローラに、前記各傾き検出背景領域部が、当該背景ローラの周方向に所定長さを有して、当該円筒ローラの軸方向に延在して形成されていることを特徴とする請求項１から請求項３のいずれかに記載の画像読取装置。
【請求項５】
前記背景部材は、前記主走査方向及び副走査方向に延在して配置されている板状の背景板であり、当該背景板に、前記各傾き検出背景領域部が、前記副走査方向に所定長さを有して、前記主走査方向に延在して形成されていることを特徴とする請求項１から請求項３のいずれかに記載の画像読取装置。
【請求項６】
前記画像読取装置は、前記読取対象の原稿のサイズに応じて、前記背景ローラを回転させて、当該原稿サイズに対応する当該背景ローラの前記傾き検出背景領域部を前記読取位置に位置させ、または、前記読取手段を副走査方向に移動させて、当該読取手段による前記読取位置を当該原稿サイズに対応する前記背景板の前記傾き検出背景領域部に位置させることを特徴とする請求項４または請求項５記載の画像読取装置。
【発明の詳細な説明】
【０００１】
【発明の属する技術分野】
本発明は、画像読取装置に関し、詳細には、原稿の傾きを検出するとともに、両面原稿の裏面画像の裏写りを適切に除去する画像読取装置に関する。
【０００２】
【従来の技術】
【特許文献１】
特開平９−２４７３７８号公報
【特許文献２】
特開２０００−５９５６９号公報
【特許文献３】
特開平１１−２８４８１０号公報参照
従来から資源の有効活用や情報の圧縮を目的として、複写装置やプリンタ等においては、紙の両面に印刷出力することが一般的に行われている。
【０００３】
このような両面に印刷されている用紙、特に、比較的薄手の用紙に印刷された両面原稿の画像をイメージスキャナ、複写装置及びファクシミリ装置等の画像読取装置で読み取ると、裏面の画像が透けて、表面の画像の中に写り込んで入力される、いわゆる「裏写り」が生じる。
【０００４】
そして、この裏写りの問題に対して、本出願人は、先に、原稿を押さえる原稿押さえ手段に少なくとも二つの光反射率の異なる原稿読取領域を設定け、原稿の種類に応じて当該原稿読取領域を切り換えて原稿を読み取る画像読取装置を提案している（特許文献１参照）。
【０００５】
すなわち、この従来技術は、裏面の画像をとけ込ませるように、原稿読取領域を切り換えて、裏写りを防止して、鮮明な読取画像を得ようとしている。
【０００６】
また、従来、原稿読取位置でかつ原稿の背面側に配置され、シェーディング補正時の白色板として機能するシェーディングシートに、白色部と小明度色部とを形成し、両面原稿読取時、原稿読取位置に小明度色部を位置させる原稿読取装置が提案されている（特許文献２参照）。
【０００７】
すなわち、この従来技術は、両面原稿読取時に、原稿照明ランプの光が照射される原稿の裏面に小明度色部を配置させて、裏写りを防止している。
【０００８】
さらに、従来、原稿のコントラストをあまり低下させることなく、両面原稿の裏写りを防止するイメージ取得装置が提案されている（特許文献３参照）。
【０００９】
そして、近年、原稿のスキューを補正するために、読取位置の背景を黒色背景部として、原稿幅よりも大きいサイズで原稿を読み取り、読み取った画像に基づいて、原稿の外縁と黒色背景部との境目を検出して、原稿のスキュー（斜め読み取り）を補正する機能を備えた画像読取装置が出現している。
【００１０】
【発明が解決しようとする課題】
しかしながら、従来技術のように、スキューを補正するために黒色背景部を用いると、両面原稿だけでなく、片面原稿を読み取る場合にも、黒色背景部が読取位置に位置するため、画像のコントラストが低下し、画質が悪化するという問題があった。
【００１１】
すなわち、上記各公報記載の従来技術にあっては、いずれも反射率の高い背景部と反射率の低い背景部を備えた背面部材を用意して、両面原稿の読取時に反射率の低い背景部を読取位置に位置させることで、裏面写りを防止しているため、片面原稿を読み取る場合には、反射率の高い背面部を読取位置に位置させることで、片面原稿の画像のコントラストを低下させることなく読み取ることができるが、スキュー補正のために、前面が黒色の黒色背景部を用いると、スキュー補正を適切に行い、かつ、両面原稿の裏写りを防止することはできるが、片面原稿の画像のコントラストが低下し、画質が悪化するという問題があった。
【００１２】
そこで、請求項１記載の発明は、少なくとも、副走査方向に搬送される原稿に、所定の読取位置で読取光を照射して当該読取光の原稿からの反射光を光電変換素子に導入する読取手段を有し、当該読取手段で原稿を主走査して当該原稿の画像を読み取るに際して、読取位置の原稿を挟んで読取手段と反対側の位置に、主走査方向を幅方向として、複数の原稿サイズに対応した幅を有し白色に施された白色領域部と、当該白色領域の幅方向外側に所定幅を有し黒色に施された黒色領域部と、が副走査方向に所定長さで形成された傾き検出背景領域部が、副走査方向に原稿サイズの数に対応する数だけ形成された背景部材を配設し、読取対象の原稿のサイズに応じて、背景部材と読取手段のうち少なくともいずれか一方を移動して、当該原稿サイズに対応する傾き検出背景領域部を読取位置に位置させ、当該原稿の傾きを読取手段の読取結果に基づいて検出することにより、片面にのみ画像のある原稿の外縁を検出して原稿の傾きを検出する場合にも、画像のコントラストが低下することを防止し、読取画像の画像品質を向上させるとともに、原稿の傾きを適切に検出する画像読取装置を提供することを目的としている。
【００１３】
請求項２記載の発明は、背景部材の各傾き検出背景領域部を、当該傾き検出背景領域部の白領域部が、主走査方向の両側で所定幅ずつ当該原稿サイズの原稿幅よりも内側に狭く形成され、当該狭く形成された白領域部の外側に黒領域部が形成されているものとすることにより、通常のプリンタや複写装置等で印刷された幅方向両端部の画像の印刷されていない原稿では、当該原稿の画像の印刷されていない幅方向両端部分に傾き検出背景領域部の黒領域部を位置させて、画像のない部分のみを低コントラストとするとともに、画像領域については高コントラストとし、読取画像の画像品質をより一層向上させるとともに、適切に原稿の外苑を検出して、原稿の傾きをより一層適切に検出する画像読取装置を提供することを目的としている。
【００１４】
請求項３記載の発明は、傾き検出背景領域部の原稿幅よりも内側に入り込んだ黒領域部の画像を、白領域部の画像に合わせて補正することにより、薄紙の原稿の場合に黒領域部の黒色が透けて読取画像に入り込んだ当該原稿両端部の黒部分を適切に除去し、読取画像の画像品質をより一層向上させるとともに、原稿の傾きをより一層適切に検出する画像読取装置を提供することを目的としている。
【００１５】
請求項４記載の発明は、背景部材を、主走査方向に延在して回転可能に支持されている円筒形状の背景ローラとし、当該背景ローラに、各傾き検出背景領域部を、当該背景ローラの周方向に所定長さを有して、当該円筒ローラの軸方向に延在して形成することにより、背景部材を小型化し、画像読取装置を小型化するとともに、読取画像の画像品質を向上させつつ、原稿の傾きを適切に検出する画像読取装置を提供することを目的としている。
【００１６】
請求項５記載の発明は、背景部材を、主走査方向及び副走査方向に延在して配置されている板状の背景板とし、当該背景板に、各傾き検出背景領域部を、副走査方向に所定長さを有して、主走査方向に延在して形成することにより、背景部材の構成を簡略化し、画像読取装置を安価なものとするとともに、読取画像の画像品質を向上させつつ、原稿の傾きを適切に検出する画像読取装置を提供することを目的としている。
【００１７】
請求項６記載の発明は、読取対象の原稿のサイズに応じて、背景ローラを回転させて、当該原稿サイズに対応する当該背景ローラの傾き検出背景領域部を読取位置に位置させ、または、読取手段を副走査方向に移動させて、当該読取手段による読取位置を当該原稿サイズに対応する背景板の傾き検出背景領域部に位置させることにより、ユーザが手動で設定することなく、原稿サイズに応じた傾き検出背景領域部が読取位置となるように自動で調整し、操作性を向上させるとともに、読取画像の画像品質を向上させつつ、原稿の傾きを適切に検出する画像読取装置を提供することを目的としている。
【００１８】
【課題を解決するための手段】
請求項１記載の発明の画像読取装置は、少なくとも、副走査方向に搬送される原稿に、所定の読取位置で読取光を照射して当該読取光の前記原稿からの反射光を光電変換素子に導入する読取手段を有し、当該読取手段で前記原稿を主走査して当該原稿の画像を読み取る画像読取装置において、前記読取位置の前記原稿を挟んで前記読取手段と反対側の位置に、前記主走査方向を幅方向として、複数の原稿サイズに対応した幅を有し白色に施された白色領域部と、当該白色領域の幅方向外側に所定幅を有し黒色に施された黒色領域部と、が前記副走査方向に所定長さで形成された傾き検出背景領域部が、前記副走査方向に前記原稿サイズの数に対応する数だけ形成された背景部材が配設されており、前記読取対象の原稿のサイズに応じて、前記背景部材と前記読取手段のうち少なくともいずれか一方を移動して、当該原稿サイズに対応する前記傾き検出背景領域部を前記読取位置に位置させ、当該原稿の傾きを前記読取手段の読取結果に基づいて検出することにより、上記目的を達成している。
【００１９】
上記構成によれば、少なくとも、副走査方向に搬送される原稿に、所定の読取位置で読取光を照射して当該読取光の原稿からの反射光を光電変換素子に導入する読取手段を有し、当該読取手段で原稿を主走査して当該原稿の画像を読み取るに際して、読取位置の原稿を挟んで読取手段と反対側の位置に、主走査方向を幅方向として、複数の原稿サイズに対応した幅を有し白色に施された白色領域部と、当該白色領域の幅方向外側に所定幅を有し黒色に施された黒色領域部と、が副走査方向に所定長さで形成された傾き検出背景領域部が、副走査方向に原稿サイズの数に対応する数だけ形成された背景部材を配設し、読取対象の原稿のサイズに応じて、背景部材と読取手段のうち少なくともいずれか一方を移動して、当該原稿サイズに対応する傾き検出背景領域部を読取位置に位置させ、当該原稿の傾きを読取手段の読取結果に基づいて検出するので、片面にのみ画像のある原稿の外縁を検出して原稿の傾きを検出する場合にも、画像のコントラストが低下することを防止することができ、読取画像の画像品質を向上させることができるとともに、原稿の傾きを適切に検出することができる。
【００２０】
この場合、例えば、請求項２に記載するように、前記背景部材の前記各傾き検出背景領域部は、当該傾き検出背景領域部の前記白領域部が、前記主走査方向の両側で所定幅ずつ当該原稿サイズの原稿幅よりも内側に狭く形成され、当該狭く形成された白領域部の外側に前記黒領域部が形成されているものであってもよい。
【００２１】
上記構成によれば、背景部材の各傾き検出背景領域部を、当該傾き検出背景領域部の白領域部が、主走査方向の両側で所定幅ずつ当該原稿サイズの原稿幅よりも内側に狭く形成され、当該狭く形成された白領域部の外側に黒領域部が形成されているものとしているので、通常のプリンタや複写装置等で印刷された幅方向両端部の画像の印刷されていない原稿では、当該原稿の画像の印刷されていない幅方向両端部分に傾き検出背景領域部の黒領域部を位置させて、画像のない部分のみを低コントラストとすることができるとともに、画像領域については高コントラストとすることができ、読取画像の画像品質をより一層向上させることができるとともに、適切に原稿の外苑を検出して、原稿の傾きをより一層適切に検出することができる。
【００２２】
また、例えば、請求項３に記載するように、前記画像読取装置は、前記傾き検出背景領域部の前記原稿幅よりも内側に入り込んだ前記黒領域部の画像を、前記白領域部の画像に合わせて補正するものであってもよい。
【００２３】
上記構成によれば、傾き検出背景領域部の原稿幅よりも内側に入り込んだ黒領域部の画像を、白領域部の画像に合わせて補正するので、薄紙の原稿の場合に黒領域部の黒色が透けて読取画像に入り込んだ当該原稿両端部の黒部分を適切に除去することができ、読取画像の画像品質をより一層向上させることができるとともに、原稿の傾きをより一層適切に検出することができる。
【００２４】
さらに、例えば、請求項４に記載するように、前記背景部材は、前記主走査方向に延在して回転可能に支持されている円筒形状の背景ローラであり、当該背景ローラに、前記各傾き検出背景領域部が、当該背景ローラの周方向に所定長さを有して、当該円筒ローラの軸方向に延在して形成されているものであってもよい。
【００２５】
上記構成によれば、背景部材を、主走査方向に延在して回転可能に支持されている円筒形状の背景ローラとし、当該背景ローラに、各傾き検出背景領域部を、当該背景ローラの周方向に所定長さを有して、当該円筒ローラの軸方向に延在して形成しているので、背景部材を小型化することができ、画像読取装置を小型化することができるとともに、読取画像の画像品質を向上させつつ、原稿の傾きを適切に検出することができる。
【００２６】
また、例えば、請求項５に記載するように、前記背景部材は、前記主走査方向及び副走査方向に延在して配置されている板状の背景板であり、当該背景板に、前記各傾き検出背景領域部が、前記副走査方向に所定長さを有して、前記主走査方向に延在して形成されているものであってもよい。
【００２７】
上記構成によれば、背景部材を、主走査方向及び副走査方向に延在して配置されている板状の背景板とし、当該背景板に、各傾き検出背景領域部を、副走査方向に所定長さを有して、主走査方向に延在して形成しているので、背景部材の構成を簡略化することができ、画像読取装置を安価なものとすることができるとともに、読取画像の画像品質を向上させつつ、原稿の傾きを適切に検出することができる。
【００２８】
さらに、例えば、請求項６に記載するように、前記画像読取装置は、前記読取対象の原稿のサイズに応じて、前記背景ローラを回転させて、当該原稿サイズに対応する当該背景ローラの前記傾き検出背景領域部を前記読取位置に位置させ、または、前記読取手段を副走査方向に移動させて、当該読取手段による前記読取位置を当該原稿サイズに対応する前記背景板の前記傾き検出背景領域部に位置させるものであってもよい。
【００２９】
上記構成によれば、読取対象の原稿のサイズに応じて、背景ローラを回転させて、当該原稿サイズに対応する当該背景ローラの傾き検出背景領域部を読取位置に位置させ、または、読取手段を副走査方向に移動させて、当該読取手段による読取位置を当該原稿サイズに対応する背景板の傾き検出背景領域部に位置させるので、ユーザが手動で設定することなく、原稿サイズに応じた傾き検出背景領域部が読取位置となるように自動で調整することができ、操作性を向上させることができるとともに、読取画像の画像品質を向上させつつ、原稿の傾きを適切に検出することができる。
【００３０】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３１】
図１〜図８は、本発明の画像読取装置の一実施の形態を示す図であり、図１は、本発明の原稿読取装置の一実施の形態を適用したスキャナ装置１の正面概略構成図である。
【００３２】
図１において、スキャナ装置１は、本体筐体２の上面部にコンタクトガラス３が配設されており、コンタクトガラス３の下方の本体筐体２の内部には、読取手段として、光源としての照明ランプ４、対向反射板５及び第１ミラー６を搭載する第１走行体７、第２ミラー８と第３ミラー９を搭載する第２走行体１０、レンズ１１及び画像読取基板１２に設けられた光電変換素子としてのＣＣＤ（Ｃｈａｒｇｅ
Ｃｏｕｐｌｅｄ  Ｄｅｖｉｃｅ  ）１３等が配設されている。
【００３３】
上記第１走行体７と第２走行体１０は、図示しない走行体モータにより駆動されて、副走査方向（図１の左右方向）に移動される。
【００３４】
スキャナ装置１は、コンタクトガラス３上にセットされた原稿Ｇを読み取る際には、第１走行体７と第２走行体１０を副走査方向に移動させながら、照明ランプ４からコンタクトガラス３上にセットされた原稿Ｇに光を照射し、原稿Ｇで反射された光を第１ミラー６で第２ミラー８方向に反射させ、さらに、第２ミラー８で第３ミラー９方向に反射させて、第３ミラー９でレンズ１１方向に反射させる。スキャナ装置１は、レンズ１１に入射された光をＣＣＤ１３に集光して、ＣＣＤ１３で入射光を光電変換して、画像信号を出力する。
【００３５】
スキャナ装置１は、ＡＤＦ（自動原稿搬送装置）２０が本体筐体２の上部に開閉可能に取り付けられており、ＡＤＦ２０は、原稿台２１、呼び出しコロ２２、分離コロ２３、搬送ローラ２４、背景ローラ２５、排紙ローラ２６及び圧板２７等を備えている。圧板２７は、コンタクトガラス３上にセットされた原稿Ｇをコンタクトガラスに押さえ付ける圧板機能を備えているとともに、その上面がＡＤＦ２０の排紙トレイ２７ａとして機能している。
【００３６】
スキャナ装置１は、本体筐体２の上部であって、上記背景ローラ２５と対向する位置には、図２に示すように、ＡＤＦ読取ガラス３０が配設されており、ＡＤＦ読取ガラス３０の原稿搬送方向上流側と下流側には、それぞれガイド３１、３２が配設されているとともに、原稿搬送方向上流側のＡＤＦ２０には、さらに、ガイド３１と対向する位置にガイド３３が配設されている。
【００３７】
スキャナ装置１は、ＡＤＦ２０を使用して原稿Ｇを搬送して原稿Ｇの読み取りを行う場合には、原稿台２１の上に積載された原稿Ｇを、呼び出しコロ２２により分離コロ２３へ呼び出して、分離コロ２３により１枚ずつ分離して搬送ローラ２４に送り出す。
【００３８】
搬送ローラ２４は、送り出されてきた原稿Ｇをガイド３１とガイド３３との間に搬送して、当該原稿Ｇをガイド３１とガイド３３で案内させつつＡＤＦ読取ガラス３０と背景ローラ２５との間を搬送して、ガイド３２で案内させて、排紙ローラ２６へと搬送する。排紙ローラ２６は、搬送されてきた原稿Ｇを圧板２７の排紙トレイ２７ａ上に排出する。
【００３９】
そして、スキャナ装置１は、ＡＤＦ２０を使用して原稿Ｇを搬送して原稿Ｇの読み取りを行う場合には、ＡＤＦ読取ガラス３０の下のＡＤＦ読取位置に、第１走行体７を移動して固定し、ＡＤＦ読取ガラス３０上を通過する原稿Ｇに第１走行体７の照明ランプ４から原稿Ｇに光を照射して、原稿Ｇで反射される光を、上述のように、第１ミラー６、第２ミラー８及び第３ミラー９で順次反射して、レンズ１１を通過させてＣＣＤ１３に集光して、ＣＣＤ１３で入射光を光電変換して、画像信号を出力する。
【００４０】
そして、このＡＤＦ読取ガラス３０と対向する位置には、図２に示したように、背景ローラ（背景部材）２５が配設されており、背景ローラ２５は、ＡＤＦ読取ガラス３０との間に、所定量、例えば、０．５ｍｍ程度の隙間Ａを空けて配設されていて、ＡＤＦ読取ガラス３０上を通過する原稿Ｇのばたつきを規制するとともに、原稿Ｇの外縁の検出を可能としている。
【００４１】
この背景ローラ２５は、図３に示すように円筒形状に形成されており、その軸方向の幅が、スキャナ装置１の最大読取幅Ｗｍよりも主走査方向（背景ローラ２５の軸方向）にそれぞれ所定幅α（例えば、３〜５ｍｍ程度）だけ広い幅（Ｗｍ＋２α）、例えば、スキャナ装置１の最大読取幅Ｗｍが、いま、２９７ｍｍであるとすると、２９７＋２αｍｍの幅に形成されている。また、スキャナ装置１は、読取対象の原稿Ｇの読取位置の基準を原稿Ｇの中央、すなわち、ＡＤＦ読取ガラス３０の主走査方向中央としている。
【００４２】
背景ローラ２５は、図３及び図４に示すように、その軸方向（幅方向）において、その軸方向の全面が白色である白部領域（以下、白部Ｗａという。）、その軸方向の中央部が所定幅で順次狭くなり軸方向両端部が黒色である複数の白黒領域（以下、Ａ部からＧ部という。）及びその軸方向の全面が黒色である黒部領域（以下、黒部Ｂａという。）が、その周方向に順次それぞれ所定長さを有して形成されており、９種類の背景部を有している。そして、Ａ部は、Ａ３サイズの原稿用、Ｂ部は、Ｂ４サイズの原稿用、Ｃ部は、Ａ４サイズの原稿用、Ｄ部は、Ｂ５サイズの原稿用、Ｅ部は、Ａ５サイズの原稿用、Ｆ部は、Ｂ６サイズの原稿用、Ｇ部は、Ａ６サイズの原稿用の傾き検出背景領域部であり、各原稿サイズの幅をＨとすると、Ａ部からＧ部は、それぞれ、Ｈ−２αの幅が白色の領域であり、当該白色の外側両側にα幅の黒色の領域となっている。なお、上記説明では、背景ローラ２５を、上記７種類の原稿サイズに対応するＡ部〜Ｇ部と、両面原稿読取用の黒部Ｂａ及び原稿Ｇの外縁を検出しない片面原稿用の白部Ｗａの計９種類の背景部を有したものとしているが、対応させる原稿サイズ等に応じて、背景部の数と種類を適宜変更してもよい。
【００４３】
そして、この背景ローラ２５は、図５に示すように、背景ローラ２５の回転軸２５ａが、ＡＤＦ２０の側板４１、４２に回転可能に支持されており、背景ローラ２５の回転軸２５ａの一方側の端部には、フィラー４３が取り付けられている。この回転軸２５ａの一端側には、フィラー４２の回転位置で背景ローラ２５の基準位置を検出するセンサ４４が配設されている。
【００４４】
背景ローラ２５の他端側の端部には、プラテンギア４５が固定されており、プラテンギア４５には、モータ４６の回転軸に固定されているモータギア４７が歯合している。
【００４５】
したがって、背景ローラ２５は、モータ４６がモータギア４７を回転駆動することにより、回転して、ＡＤＦ読取ガラス３０側の読取位置に位置する背景部として、上記Ａ部〜Ｇ部、黒部Ｂａ及び白部Ｗａの９種類の背景部のうちの１つを位置させる。
【００４６】
次に、本実施の形態の作用を説明する。本実施の形態のスキャナ装置１は、読取対象の原稿Ｇが両面原稿であるか、外縁検出を行うか否かによって、背景ローラ２５の背景部を適宜選択して、読取画像の画像品質を向上させつつ、原稿Ｇの傾きを検出する。
【００４７】
すなわち、スキャナ装置１は、オペレータにより、原稿Ｇが原稿台２１にセットされ、操作部で両面原稿であるか否か、外縁検出を行うか否か、読取精度等の原稿Ｇの読み取りに必要な動作モードの設定操作が行われた後、スタートキーが押下されると、図６に示すように、まず、両面原稿が選択されているか、片面原稿が選択されているかチェックし（ステップＳ１０１）、両面原稿が選択されていると、モータ４６の駆動を制御して、背景ローラ２５の黒部（黒色領域）ＢａをＡＤＦ読取ガラス３０側の読取位置に位置させた状態で停止させて、原稿Ｇの読み取りを開始する（ステップＳ１０２）。
【００４８】
この原稿Ｇの読み取りでは、スキャナ装置１は、ＡＤＦ読取ガラス３０の下のＡＤＦ読取位置に、第１走行体７を移動して固定した状態で、原稿台２１の上に積載された原稿Ｇを、呼び出しコロ２２により分離コロ２３へ呼び出して、分離コロ２３により１枚ずつ分離して搬送ローラ２４に送り出し、搬送ローラ２４で、送り出されてきた原稿Ｇをガイド３１とガイド３３で案内させつつＡＤＦ読取ガラス３０と背景ローラ２５との間を搬送して、ガイド３２で案内させて、排紙ローラ２６へと搬送する。排紙ローラ２６は、搬送されてきた原稿Ｇを圧板２７の排紙トレイ２７ａ上に排出する。そして、スキャナ装置１は、ＡＤＦ読取ガラス３０上を通過する原稿Ｇに第１走行体７の照明ランプ４から原稿Ｇに光を照射して、原稿Ｇで反射される光を、第１ミラー６、第２ミラー８及び第３ミラー９で順次反射して、レンズ１１を通過させてＣＣＤ１３に集光して、ＣＣＤ１３で入射光を光電変換して、画像信号を出力する。
【００４９】
スキャナ装置１は、ステップＳ１０１で、片面原稿が選択されているときには、外縁検出機能がオンであるかオフであるかチェックし（ステップＳ１０３）、オフのときには、外縁を検出する必要がないため、コントラストを大きくして、画質を向上させるために、モータ４６の駆動を制御して、背景ローラ２５の白部（白色領域）ＷａをＡＤＦ読取ガラス３０の読取位置に位置させた状態で停止させて、原稿Ｇの読み取りを開始する（ステップＳ１０４）。
【００５０】
また、スキャナ装置１は、ステップＳ１０３で、外縁検出機能がオンであると、原稿台２１に設けられている原稿サイズセンサ等により、原稿サイズを検出し、あるいは、操作部での原稿サイズの選択を検出し（ステップＳ１０５）、当該原稿サイズの検出結果に基づいて、背景ローラ２５のＡ部〜Ｇ部の背景部のうち、当該検出した原稿サイズに適した背景部を選択し、モータ４６の駆動を制御して、背景ローラ２５の背景部のうち当該選択した背景部をＡＤＦ読取ガラス３０の読取位置に位置させた状態で停止させて、原稿Ｇの読み取りを開始する（ステップＳ１０６）。
【００５１】
したがって、片面にのみ画像のある原稿Ｇの外縁を検出して原稿Ｇの傾きを検出する場合にも、画像のコントラストが低下することを防止することができ、読取画像の画像品質を向上させることができるとともに、原稿Ｇの傾きを適切に検出することができる。
【００５２】
また、各傾き検出背景領域部を、当該傾き検出背景領域部であるＡ部からＧ部の白領域部が、主走査方向の両側で所定幅αずつ当該原稿サイズの原稿幅Ｈよりも内側に狭く形成され、当該狭く形成された白領域部の外側に黒領域部が形成されているものとしている。
【００５３】
したがって、通常のプリンタや複写装置等で印刷された幅方向両端部の画像の印刷されていない原稿Ｇでは、当該原稿Ｇの画像の印刷されていない幅方向両端部分に背景部の黒領域部を位置させて、画像のない部分のみを低コントラストとすることができるとともに、画像領域については高コントラストとすることができ、読取画像の画像品質をより一層向上させることができるとともに、適切に原稿Ｇの外苑を検出して、原稿Ｇの傾きをより一層適切に検出することができる。
【００５４】
さらに、背景部材を、主走査方向に延在して回転可能に支持されている円筒形状の背景ローラ２５とし、背景ローラ２５に、各背景部を、当該背景ローラ２５の周方向に所定長さを有して、円筒ローラ２５の軸方向に延在させて形成している。
【００５５】
したがって、背景部材を小型化することができ、画像読取装置１を小型化することができるとともに、読取画像の画像品質を向上させつつ、原稿Ｇの傾きを適切に検出することができる。
【００５６】
また、読取対象の原稿Ｇのサイズに応じて、背景ローラ２５を回転させて、当該原稿サイズに対応する背景ローラ２５の背景部を読取位置に位置させている。
【００５７】
したがって、ユーザが手動で設定することなく、原稿サイズに応じた背景部が読取位置となるように自動で調整することができ、操作性を向上させることができるとともに、読取画像の画像品質を向上させつつ、原稿Ｇの傾きを適切に検出することができる。
【００５８】
そして、上記原稿Ｇの読み取りのうち、図７（ａ）に示すように、Ａ部からＧ部の背景部（傾き検出背景領域部）を用いての原稿Ｇの読み取りにおいては、原稿Ｇの厚さによっては、その読取画像が、図７（ｂ）に示すように、背景ローラ２５の中央の白領域の両端部の黒領域の背景が黒く透けて入り込んで、原稿画像に背景ローラ２５の黒領域が色付いた画像となる。
【００５９】
そこで、スキャナ装置１は、背景ローラ２５の黒領域部分が入り込んだ画像を、背景ローラ２５の白領域部分の画像に合わせて補正し、図７（ｃ）に示すような背景ローラ２５の黒領域の入り込んでいない良好な画像とする。
【００６０】
このようにすることで、原稿Ｇが薄く、背景ローラ２５の黒領域が入り込む場合にも、読取画像の画像品質を向上させることができる。
【００６１】
なお、上記実施の形態においては、背景部材として、幅方向（主走査方向）で白領域の長さの異なる背景部が周方向に複数形成されている背景ローラ２５を用いているが、背景部材としては、このような背景ローラ２５に限るものではなく、例えば、図８に示すように、主走査方向で白領域の長さの異なる背景部が副走査方向に並んで形成されている板状の背景板５０を用いてもよい。
【００６２】
この背景板５０は、図８に示すように、上記背景ローラ２５と同様の背景部、すなわち、白部Ｗａ、Ａ部〜Ｇ部及び黒部Ｂａが副走査方向に連続して形成されており、ＡＤＦ読取ガラス３０との間に、所定量、例えば、０．５ｍｍ程度の隙間Ａを空けて配設されていて、ＡＤＦ読取ガラス３０上を通過する原稿Ｇのばたつきを規制するとともに、原稿Ｇの外縁の検出を可能としている。
【００６３】
この背景板５０を用いる場合には、上記図６の処理において、両面原稿が選択されているときには、スキャナ装置１は、読取位置が背景板５０の黒部Ｂａとなるように、第１走行体７及び第２走行体１０を移動させ、片面原稿が選択されていて、外縁検出機能がオフであるときには、読取位置が背景板５０の白部Ｗａとなるように、第１走行体７及び第２走行体１０を移動させる。また、スキャナ装置１は、片面原稿が選択されていて、外縁検出機能がオンであるときには、原稿サイズに応じて、原稿サイズに適したＡ部〜Ｇ部の背景部が読取位置となるように、第１走行体７及び第２走行体１０を移動させる。
【００６４】
このように、背景部材を、主走査方向及び副走査方向に延在して配置されている板状の背景板５０とし、背景板５０に、各傾き検出背景領域部である背景部を、副走査方向に所定長さを有して、主走査方向に延在して形成すると、背景部材の構成を簡略化することができ、画像読取装置１を安価なものとすることができるとともに、読取画像の画像品質を向上させつつ、原稿Ｇの傾きを適切に検出することができる。
【００６５】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６６】
【発明の効果】
請求項１記載の発明の画像読取装置によれば、少なくとも、副走査方向に搬送される原稿に、所定の読取位置で読取光を照射して当該読取光の原稿からの反射光を光電変換素子に導入する読取手段を有し、当該読取手段で原稿を主走査して当該原稿の画像を読み取るに際して、読取位置の原稿を挟んで読取手段と反対側の位置に、主走査方向を幅方向として、複数の原稿サイズに対応した幅を有し白色に施された白色領域部と、当該白色領域の幅方向外側に所定幅を有し黒色に施された黒色領域部と、が副走査方向に所定長さで形成された傾き検出背景領域部が、副走査方向に原稿サイズの数に対応する数だけ形成された背景部材を配設し、読取対象の原稿のサイズに応じて、背景部材と読取手段のうち少なくともいずれか一方を移動して、当該原稿サイズに対応する傾き検出背景領域部を読取位置に位置させ、当該原稿の傾きを読取手段の読取結果に基づいて検出するので、片面にのみ画像のある原稿の外縁を検出して原稿の傾きを検出する場合にも、画像のコントラストが低下することを防止することができ、読取画像の画像品質を向上させることができるとともに、原稿の傾きを適切に検出することができる。
【００６７】
請求項２記載の発明の画像読取装置によれば、背景部材の各傾き検出背景領域部を、当該傾き検出背景領域部の白領域部が、主走査方向の両側で所定幅ずつ当該原稿サイズの原稿幅よりも内側に狭く形成され、当該狭く形成された白領域部の外側に黒領域部が形成されているものとしているので、通常のプリンタや複写装置等で印刷された幅方向両端部の画像の印刷されていない原稿では、当該原稿の画像の印刷されていない幅方向両端部分に傾き検出背景領域部の黒領域部を位置させて、画像のない部分のみを低コントラストとすることができるとともに、画像領域については高コントラストとすることができ、読取画像の画像品質をより一層向上させることができるとともに、適切に原稿の外苑を検出して、原稿の傾きをより一層適切に検出することができる。
【００６８】
請求項３記載の発明の画像読取装置によれば、傾き検出背景領域部の原稿幅よりも内側に入り込んだ黒領域部の画像を、白領域部の画像に合わせて補正するので、薄紙の原稿の場合に黒領域部の黒色が透けて読取画像に入り込んだ当該原稿両端部の黒部分を適切に除去することができ、読取画像の画像品質をより一層向上させることができるとともに、原稿の傾きをより一層適切に検出することができる。
【００６９】
請求項４記載の発明の画像読取装置によれば、背景部材を、主走査方向に延在して回転可能に支持されている円筒形状の背景ローラとし、当該背景ローラに、各傾き検出背景領域部を、当該背景ローラの周方向に所定長さを有して、当該円筒ローラの軸方向に延在して形成しているので、背景部材を小型化することができ、画像読取装置を小型化することができるとともに、読取画像の画像品質を向上させつつ、原稿の傾きを適切に検出することができる。
【００７０】
請求項５記載の発明の画像読取装置によれば、背景部材を、主走査方向及び副走査方向に延在して配置されている板状の背景板とし、当該背景板に、各傾き検出背景領域部を、副走査方向に所定長さを有して、主走査方向に延在して形成しているので、背景部材の構成を簡略化することができ、画像読取装置を安価なものとすることができるとともに、読取画像の画像品質を向上させつつ、原稿の傾きを適切に検出することができる。
【００７１】
請求項６記載の発明の画像読取装置によれば、読取対象の原稿のサイズに応じて、背景ローラを回転させて、当該原稿サイズに対応する当該背景ローラの傾き検出背景領域部を読取位置に位置させ、または、読取手段を副走査方向に移動させて、当該読取手段による読取位置を当該原稿サイズに対応する背景板の傾き検出背景領域部に位置させるので、ユーザが手動で設定することなく、原稿サイズに応じた傾き検出背景領域部が読取位置となるように自動で調整することができ、操作性を向上させることができるとともに、読取画像の画像品質を向上させつつ、原稿の傾きを適切に検出することができる。
【図面の簡単な説明】
【図１】本発明の画像読取装置の一実施の形態を適用したスキャナ装置の正面概略構成図。
【図２】図１のＡＤＦ読取ガラス及び背景ローラ部分の拡大正面図。
【図３】図１の背景ローラの正面拡大図。
【図４】図３の背景ローラの展開平面図。
【図５】図１の背景ローラと背景ローラの駆動機構の平面図。
【図６】図１のスキャナ装置による背景ローラの背景部の選択処理を示すフローチャート。
【図７】図１のスキャナ装置による背景ローラの背景部の黒領域の画像の補正処理の説明図。
【図８】図１の背景部材として背景板を用いた当該背景板及びＡＤＦ読取ガラス部分の拡大正面図。
【符号の説明】
１  スキャナ装置
２  本体筐体
３  コンタクトガラス
４  照明ランプ
５  対向反射板
６  第１ミラー
７  第１走行体
８  第２ミラー
９  第３ミラー
１０  第２走行体
１１  レンズ
１２  画像読取基板
１３  ＣＣＤ
２０  ＡＤＦ
２１  原稿台
２２  呼び出しコロ
２３  分離コロ
２４  搬送ローラ
２５  背景ローラ
２５ａ  回転軸
２６  排紙ローラ
２７  圧板
２７ａ  排紙トレイ
３０  ＡＤＦ読取ガラス
３１、３２、３３  ガイド
４１、４２  側板
４３  フィラー
４４  センサ
４５  プラテンギア
４６  モータ
４７  モータギア
５０  背景板
【図１】
2004282151.tif 000003
【図２】
2004282151.tif 000004
【図３】
2004282151.tif 000005
【図４】
2004282151.tif 000006
【図５】
2004282151.tif 000007
【図６】
2004282151.tif 000008
【図７】
2004282151.tif 000009
【図８】
2004282151.tif 000010